(57)【要約】      （修正有）【課題】ひとつの帳票に３枚複写機能と、隠蔽郵送機能と、ＮＩＰ印字機能を持たせる。【解決手段】下紙２０は、用紙表面に顕色剤層２２を有し、用紙裏面に発色剤層２４を有するとともに、用紙の側辺間の幅を３本のミシン目により４分割し、用紙表面の周縁部に粘着剤層２３を有する第１紙片Ｐ１と、表面の周縁部に粘着剤層２３を有する第２紙片Ｐ２と、第２紙片Ｐ２に隣接して区画される第３紙片Ｐ３と、第３紙片Ｐ３に隣接して区画される第４紙片Ｐ４とを備えるものとする。一方、下紙の上に丁合する上紙３０は、用紙裏面に発色剤層３２を有するとともに、用紙の側辺間の幅をミシン目によって２分割し、第１紙片Ｐ１と同一サイズに成形される第５紙片Ｐ５と、第２紙片Ｐ２と同一サイズに成形され、かつ裏面の第２紙片Ｐ２の粘着剤層２３に対応する部位に剥離剤層３３を有する第６紙片Ｐ６とを備えるものとする。【選択図】  図４
2005022103.tif 000002
【特許請求の範囲】
【請求項１】
下紙の上に上紙を丁合してなる封筒用帳票であって、
上記下紙は、
用紙表面に顕色剤層を有し、かつ用紙裏面に発色剤層を有するとともに、
用紙の側辺間の幅を４分割する３本のミシン目によって、一側辺とミシン目との間に区画され、かつ用紙表面の周縁部に粘着剤層を有する第１紙片と、
上記第１紙片に隣接してミシン目間に区画され、かつ表面の周縁部に粘着剤層を有する第２紙片と、
上記第２紙片に隣接してミシン目間に区画される第３紙片と、
上記第３紙片に隣接してミシン目と他側辺との間に区画される第４紙片と、
を備え、
上記上紙は、
用紙裏面に発色剤層を有するとともに、
用紙の側辺間の幅を２分割する１本のミシン目によって、一側辺とミシン目との間に区画され、かつ上記第１紙片と同一サイズに成形される第５紙片と、
上記第５紙片に隣接してミシン目と他側辺との間に区画され、上記第２紙片と同一サイズに成形され、かつ裏面の上記第２紙片の粘着剤層に対応する部位に剥離剤層を有する第６紙片と、
を備える
ことを特徴とする封筒用帳票。
【請求項２】
上記顕色剤層が上記第１紙片と上記第３紙片とに限定して塗工され、かつ上記発色剤層が少なくとも上記第１紙片と上記第５紙片とに塗工されていることを特徴とする請求項１に記載の封筒用帳票。
【請求項３】
上記ミシン目は、上記第１紙片と上記第２紙片とを区画するミシン目がプレス加工を施した折曲げ用ミシン目であり、それ以外のミシン目はすべてカット部を有する切取り用ミシン目であることを特徴とする請求項１に記載の封筒用帳票。
【請求項４】
上記第１紙片の裏面と上記第２紙片の裏面には、カムフラージュパターンが表示されていることを特徴とする請求項１に記載の封筒用帳票。
【発明の詳細な説明】
【０００１】
【発明の属する技術分野】
本発明は、電子写真方式のノンインパクトプリンタ（以下、「ＮＩＰ」という）を用いて印字する封筒用帳票に関する。
【０００２】
【従来の技術】
従来、例えば契約業者と顧客との間でクレジットカードや金融機関による利用料金の支払申込契約を取り交わす場合には、一般に次のような方法が採用されていた。
【０００３】
はじめに、契約業者が顧客の手元に必要書類を郵送する。図９に示すように、郵送する封筒１内には支払申込書２と再剥離ラベル３が同封される。支払申込書２は、提出用の契約業者処理片２−１と控え用の顧客控え片２−２とが切取り用ミシン目２ａを挟んで切り離し可能に連接された１枚帳票である。
【０００４】
契約業者処理片２−１は、その裏面に顧客のクレジットカード番号または金融機関の口座番号を記入する記入欄や、金融機関の届出印を捺印する捺印欄からなる顧客情報記入欄が形成されるとともに、その表面に契約業者の宛先が表示された返信ハガキとなっている。また、顧客控え片２−２には、顧客情報記入欄への記入例等が表示されている。なお、この支払申込書２への印字は通常ＮＩＰを用いて行なわれる。
【０００５】
一方、顧客は契約業者に必要書類を返送する。図１０に示すように、顧客は必要書類を受け取ると、まず切取り用ミシン目２ａにしたがって契約業者処理片２−１と顧客控え片２−２とを切り離す。次に、顧客控え片２−２の記入例を参照しながら、契約業者処理片２−１の顧客情報記入欄に所定事項を記入および捺印する。さらに、同封の再剥離ラベル３を顧客情報記入欄に貼り付けて記入事項を隠蔽し、返信ハガキである契約業者処理片２−１を返送する。そして、契約業者処理片２−１を受け取った契約業者は、貼付された再剥離ラベル３を剥がし、顧客情報記入欄に記入されている情報を業務処理するものとしている。
【０００６】
ところで、近年、業務処理の分業化に伴って、契約業者と顧客との間に中間業者が参入するケースが増えている。そのため、従来の支払申込書２において、契約業者処理片２−１や顧客控え片２−２とは別の紙片として、中間業者が保管するための「中間業者控え片」を設ける必要性が生じた。すなわち、上述した支払申込書２のような帳票において、次に掲げる３つの機能をすべて備えた帳票が求められている。
【０００７】
▲１▼  契約業者処理片にある顧客情報記入欄に顧客が手書きで記入した事項を、顧客控え片と中間業者控え片の残り２枚の紙片に複写できる機能（以下、この機能を「３枚複写機能」という）
【０００８】
▲２▼  契約業者処理片に記入された事項と中間業者控え片に複写された事項とを、隠蔽した状態で契約業者に対して郵送できる機能（以下、この機能を「隠蔽郵送機能」という）
【０００９】
▲３▼  顧客が手書きで記入する１枚目の契約業者処理片に対してＮＩＰで印字できる機能（以下、この機能を「ＮＩＰ印字機能」という）
【００１０】
そこで、まず上記▲１▼の３枚複写機能を実現するために、例えば図１１に示すような契約業者処理片４、中間業者控え片５、および顧客控え片６の３枚の紙片を積層してその縁部を接着剤７で接合し、切取り用ミシン目４ａ，５ａ，６ａで切り離し可能に構成した３枚帳票を作製したとする。この帳票において、１枚目の契約業者処理片４に顧客が手書きで記入した事項は、用紙間の複写構造によって２枚目の中間業者控え片５と３枚目の顧客控え片６にそれぞれ複写される。
【００１１】
ところが、このような構造を採用した場合には、同図（ｂ）に示すように、３層に積層された紙片間に上下２層の空気層８，８が形成されて帳票全体の厚みが大きくなってしまう。すると、１枚目の契約業者処理片４に対して矢印（イ）方向に示すＮＩＰ印字を施した場合、感光体上のトナーが帳票に転写するときに帳票がＲ状に湾曲するので、このときに上下２層の空気層８，８がブカツいてトナー転写面に大きな波打ち現象が起こる。このため、トナーが安定して転写せず、１枚目の契約業者処理片４に転写ムラによる印字抜けが発生してしまい、上記▲３▼のＮＩＰ印字機能を確実に実現することができない。さらに、この帳票によると、上記▲２▼の隠蔽郵送機能を実現するために、隠蔽手段としての再剥離ラベルや郵送手段としての返信用封筒が別途必要になってしまう。
【００１２】
一方、上記▲２▼の隠蔽郵送機能を考慮した帳票としては、例えば特許文献１に開示された封筒付きフォームが知られている。
【００１３】
【特許文献１】
特開平９−１９６２号公報（例えば、図１参照）
【００１４】
この封筒付きフォームは、封筒部と封入用紙部とが切取り用のミシン目を挟んで切り離し可能に連接された帳票である。封筒部は２枚重ねした用紙の３辺を接着して袋状に成形され、封入用紙部は情報記録部と情報複写部とから構成されている。また、情報記録部は１枚の用紙が折曲げ線で２つの帳票部に区画され、情報複写部は２枚重ねした用紙の１辺を接着して用紙間に複写構造が設けられている。そして、切取り用のミシン目で切り離された封入用紙部は、２つの帳票部を備えた情報記録部と１つの情報複写部とに３つ折りして封筒部に封入される。
【００１５】
特許文献１の封筒付きフォームによると、封筒部と封入用紙部は共に用紙を２枚重ねした帳票であるのでその上からのＮＩＰ印字は可能であり、上記▲３▼のＮＩＰ印字機能は充分に備えているといえる。また、３つ折りした封入用紙部を封筒部に入れて封緘することで上記▲２▼の隠蔽郵送機能も確保できる。
【００１６】
しかしながら、情報複写部は用紙を２枚重ねした２枚複写構造を採用していることから、顧客が記入した事項は下層の１枚の用紙にしか複写されず、上記▲１▼の３枚複写機能を発揮することができない。また、この３枚複写機能を確保するために、仮にこの封筒付きフォームの情報複写部を３枚重ねで構成した場合には、上述した理由から上記▲３▼のＮＩＰ印字機能が損なわれてしまう。
【００１７】
以上説明した通り、上述したような▲１▼３枚複写機能、▲２▼隠蔽郵送機能、および▲３▼ＮＩＰ印字機能の３つの機能をすべて備えた帳票は開発されていないのが実情である。
【００１８】
【発明が解決しようとする課題】
本発明は、上述した実情に鑑みてなされたものであり、その目的とするところは、ひとつの帳票で３枚複写機能と、隠蔽郵送機能と、ＮＩＰ印字機能の３つの機能をすべて備えた封筒用帳票を提供することにある。
【００１９】
【課題を解決するための手段】
上述した目的を達成するために、本願の請求項１に係る発明は、下紙の上に上紙を丁合してなる封筒用帳票であって、上記下紙は、用紙表面に顕色剤層を有し、かつ用紙裏面に発色剤層を有するとともに、用紙の側辺間の幅を４分割する３本のミシン目によって、一側辺とミシン目との間に区画され、かつ用紙表面の周縁部に粘着剤層を有する第１紙片と、上記第１紙片に隣接してミシン目間に区画され、かつ表面の周縁部に粘着剤層を有する第２紙片と、上記第２紙片に隣接してミシン目間に区画される第３紙片と、上記第３紙片に隣接してミシン目と他側辺との間に区画される第４紙片と、を備え、上記上紙は、用紙裏面に発色剤層を有するとともに、用紙の側辺間の幅を２分割する１本のミシン目によって、一側辺とミシン目との間に区画され、かつ上記第１紙片と同一サイズに成形される第５紙片と、上記第５紙片に隣接してミシン目と他側辺との間に区画され、上記第２紙片と同一サイズに成形され、かつ裏面の上記第２紙片の粘着剤層に対応する部位に剥離剤層を有する第６紙片と、を備えることを特徴とする。この発明によると、３枚複写機能と、隠蔽郵送機能と、ＮＩＰ印字機能の３つの機能をすべて実現できる。
【００２０】
また、本願の請求項２に係る発明は、請求項１に記載の封筒用帳票において、上記顕色剤層が上記第１紙片と上記第３紙片とに限定して塗工され、かつ上記発色剤層が少なくとも上記第１紙片と上記第５紙片とに塗工されていることを特徴とする。この発明によると、必要かつ充分な箇所にのみ顕色剤と発色剤を塗工すれば良いので、作製コストを低減することができる。
【００２１】
また、本願の請求項３に係る発明は、請求項１に記載の封筒用帳票において、上記ミシン目は、上記第１紙片と上記第２紙片とを区画するミシン目がプレス加工を施した折曲げ用ミシン目であり、それ以外のミシン目はすべてカット部を有する切取り用ミシン目であることを特徴とする。この発明によると、第１紙片と第２紙片とを区画するミシン目は封筒上紙と封筒下紙とを繋ぐミシン目であるので封筒作成後の切断を防止できるとともに、それ以外のミシン目は使用時に容易に切断することができる。
【００２２】
また、本願の請求項４に係る発明は、請求項１に記載の封筒用帳票において、上記第１紙片の裏面と上記第２紙片の裏面には、カムフラージュパターンが表示されていることを特徴とする。この発明によると、封筒内部の第１紙片の表面に記入された事項と第５紙片の表面に複写された事項の透けを防止して、秘匿性を高めることができる。
【００２３】
【発明の実施の形態】
以下、本発明の一実施形態について、添付した図面を参照しながら詳細に説明する。
【００２４】
はじめに、本発明に係る封筒用帳票の構成を説明する。
【００２５】
図１は封筒用帳票の全体構成を示す図である。同図に示すように、本実施形態の封筒用帳票Ｐは、一度に多数の帳票を作製する観点から、ＮＩＰ印字用のノーカーボン紙からなる連続用紙を使用して作製される。
【００２６】
封筒用帳票Ｐは、同図中の左側半分については連続用紙からなる下紙２０の上に同じく連続用紙からなる上紙３０を重ねて丁合することで構成され、同図中の右側半分については連続用紙からなる下紙２０のみで構成されている。下紙２０と上紙３０には、共に長手方向に一定間隔Ｌを隔てて幅方向Ｄに横断する複数本の切取り用横ミシン目２５−１（３５−１），２５−１（３５−１），…が形成される。そして、この切取り用横ミシン目２５−１（３５−１）を切断することで各帳票単位Ｐ，Ｐ，…に分割できるようになっている。
【００２７】
下紙２０の左右両側縁部には、長手方向に沿って所定ピッチで複数個の送り孔２１，２１，…が開設され、この送り孔２１の余白部分を帳票Ｐ本体から分離するための切取り用縦ミシン目２５−２がその内側に沿って形成される。また、上紙３０の左側縁部には、長手方向に沿って送り孔２１，２１，…と同一ピッチで複数個の送り孔３１，３１，…が開設され、その内側に沿って切取り用縦ミシン目３５−２が形成されている。
【００２８】
ここで、封筒用帳票Ｐを下紙２０と上紙３０とに分解してそれぞれの構成を詳細に説明する。
【００２９】
図２は各帳票単位の下紙の構成を示す図である。同図に示すように、下紙２０は、左右両側縁部に形成された切取り用縦ミシン目２５−２，２５−２間の幅を２等分する位置に、長手方向に縦断する切取り用中縦ミシン目２５−３が形成される。
【００３０】
また、この切取り用中縦ミシン目２５−３と左側縁部の切取り用縦ミシン目２５−２との間の幅を２等分する位置には、長手方向に縦断する折曲げ用縦ミシン目２５−４が形成される。さらに、切取り用中縦ミシン目２５−３と右側縁部の切取り用縦ミシン目２５−２との間の幅を２等分する位置には、長手方向に縦断する切取り用右縦ミシン目２５−５が形成される。
【００３１】
ここで、「切取り用…ミシン目」とは、用紙にカット部とアンカット部を形成し、カッター等の刃具を使用しなくても切断できるようにしたミシン目のことをいう。また、「折曲げ用…ミシン目」とは、用紙が切断されないようにカット加工せず、プレス加工のみを施して折り曲げ易くしたミシン目のことをいう。
【００３２】
すなわち、下紙２０では、切取り用縦ミシン目２５−２，２５−２間の領域が、切取り用中縦ミシン目２５−３，折曲げ用縦ミシン目２５−４，および切取り用右縦ミシン目２５−５の３本のミシン目で４等分される。このようにして、下紙２０は、同図中の左側から第１紙片Ｐ１，第１紙片に隣接した第２紙片Ｐ２，第２紙片Ｐ２に隣接した第３紙片Ｐ３，および第３紙片Ｐ３に隣接した第４紙片Ｐ４の４つの紙片に区画される。なお、第１紙片Ｐ１と第２紙片Ｐ２とを区画するミシン目は、封筒作成時に封筒上紙と封筒下紙とを繋ぐミシン目になるので封筒作成後の切断を防止する観点からすると、上述したように切取り用ミシン目ではなく折曲げ用ミシン目であることが望ましい。
【００３３】
さらに、同図（ａ）（ｃ）に示すように、下紙２０の表面側には、例えばロイコ染料等の発色剤と化学反応して呈色する顕色剤を塗工した顕色剤層２２と、例えば酢酸ビニル等を主成分とする各種樹脂系の粘着剤を塗布した粘着剤層２３とが設けられる。顕色剤層２２は、第１紙片Ｐ１の略中央部分と第３紙片Ｐ３の略中央部分の２箇所に塗工される。粘着剤層２３は、第１紙片Ｐ１の周縁３辺と、この３辺に対向する第２紙片Ｐ２の周縁３辺とに沿ってそれぞれ「コ」字状に塗布される。
【００３４】
なお、粘着剤層２３は、下紙２０と上紙３０とを貼り合わせるためのもので、貼り合わせた後でこの粘着剤層２３の輪郭部分のみを帳票Ｐ本体から分離できるように、粘着剤層２３の内側の輪郭に沿って切取り用縦ミシン目２５−６と切取り用横ミシン目２５−７とが形成される。
【００３５】
ところで、本実施形態ではノーカーボン式の複写構造を採用している。下紙２０の裏面側には、同図（ｂ）（ｃ）に示すように、発色剤を内包したマイクロカプセルを塗工した発色剤層２４が設けられている。筆圧でこのマイクロカプセルが割られると、カプセル内の発色剤が染み出して顕色剤層２２の顕色剤と化学反応して発色する。この発色剤層２４は、左右両側縁部に形成された切取り用縦ミシン目２５−２，２５−２間の領域、つまり第１紙片Ｐ１〜第４紙片Ｐ４の領域に限定して塗工される。なお、このようなノーカーボン式の複写構造に替えて、複写箇所にスポットカーボンインキを塗布するカーボン式の複写構造を採用しても良い。
【００３６】
図３は各帳票単位の上紙の構成を示す図である。同図に示すように、上紙３０は、左側縁部に形成された切取り用縦ミシン目３５−２と右側辺との間の幅を２等分する位置に、長手方向に縦断する切取り用中縦ミシン目３５−３が形成されている。かかる上紙３０では、切取り用縦ミシン目３５−２と右側辺との間の領域が、切取り用中縦ミシン目３５−３によって２等分されることで、同図中の左側から第５紙片Ｐ５と、第５紙片Ｐ５に隣接する第６紙片Ｐ６の２つの紙片に区画される。この第５紙片Ｐ５および第６紙片Ｐ６は、それぞれ下紙２０における第１紙片Ｐ１および第２紙片Ｐ２と同一サイズに成形される。
【００３７】
また、同図（ｂ）（ｃ）に示すように、上紙３０の裏面側には、発色剤内包のマイクロカプセルを塗工した発色剤層３２が設けられている。発色剤層３２は、左側縁部の切取り用縦ミシン目３５−２と右側辺との間の領域、つまり第５紙片Ｐ５と第６紙片Ｐ６の領域に限定して塗工される。
【００３８】
さらに、上紙３０裏面の発色剤層３２上には、シリコーン等を主成分とする剥離剤を塗布した剥離剤層３３が設けられる。剥離剤層３３は、上紙３０と下紙２０とを貼り合わせた後に剥がすためのものである。よって、剥離剤層３３は、第２紙片Ｐ２の表面に塗布された粘着剤層２３に対応する部位である第６紙片Ｐ６の周縁３辺に沿って「コ」字状に塗布される。
【００３９】
なお、第５紙片Ｐ５には剥離剤層３３を設けていない。第５紙片Ｐ５には、上紙３０と下紙２０とを貼り合わせた後に下紙２０の粘着剤層２３の輪郭部分のみを帳票Ｐ本体から分離できるように、下紙２０の切取り用縦ミシン目２５−６と切取り用横ミシン目２５−７に対応する位置に同じく切取り用縦ミシン目３５−４と切取り用横ミシン目３５−５が形成される。
【００４０】
上述のように構成された下紙２０と上紙３０とを所定位置で貼り合わせると図４のようになる。すなわち、下紙２０の第１紙片Ｐ１に対して上紙３０の第５紙片Ｐ５を、また下紙２０の第２紙片Ｐ２に対して上紙３０の第６紙片Ｐ６を揃えて重ね合わせる。すると、同図（ｃ）に示すように、第１紙片Ｐ１と第５紙片Ｐ５とは、第１紙片Ｐ１表面の粘着剤層２３によって接合されるのに対して、第２紙片Ｐ２と第６紙片Ｐ６とは、第２紙片Ｐ２表面の粘着剤層２３と第６紙片Ｐ６裏面の剥離剤層３３とによって剥離可能に接合される。
【００４１】
次に、本発明に係る封筒用帳票の使用形態を説明する。
【００４２】
図５は封筒用帳票を支払申込書に適用した例を示す図である。同図に示す支払申込書は、契約業者が処理する契約業者処理片Ａと、顧客が控えとして保管する顧客控え片Ｂと、契約業者と顧客との間に介在する中間業者が控えとして保管する中間業者控え片Ｃの３つの紙片が設定されている。
【００４３】
まず、契約業者処理片Ａは上紙３０における第５紙片Ｐ５に設定される。第５紙片Ｐ５の表面側において、切取り用中縦ミシン目３５−３，切取り用縦ミシン目３５−４，および切取り用横ミシン目３５−５で囲まれた領域内には、顧客情報記入欄Ａ１が形成される。この顧客情報記入欄Ａ１は、顧客のクレジットカード番号か金融機関の口座番号を記入する記入欄や、金融機関の届出印を捺印する捺印欄等から構成される。
【００４４】
ここで、顧客情報記入欄Ａ１の印字はＮＩＰを用いて行なわれるが、契約業者処理片Ａの下側には第１紙片Ｐ１のみが接合された２枚帳票で構成されているので、上述したような転写ムラによる印字抜けが発生することはなく、契約業者処理片Ａに対してＮＩＰ印字が可能になる。
【００４５】
また、顧客控え片Ｂは下紙２０における第３紙片Ｐ３に設定される。第３紙片Ｐ３の表面側において、契約業者処理片Ａの顧客情報記入欄Ａ１に対応する位置には顧客情報複写欄Ｂ１が形成される。この第３紙片Ｐ３は、申込書の記入後に切取り用右縦ミシン目２５−３に従って第２紙片Ｐ２から分離される。これを利用して顧客控え片Ｂの裏面は会員規約表示欄Ｂ２になっている。
【００４６】
さらに、中間業者控え片Ｃは下紙２０における第１紙片Ｐ１に設定される。第１紙片Ｐ１の表面側において、折曲げ用縦ミシン目２５−４，切取り用縦ミシン目２５−６，および切取り用横ミシン目２５−７で囲まれた領域内であって、契約業者処理片Ａの顧客情報記入欄Ａ１に対応する位置には顧客情報複写欄Ｃ１が形成される。この第１紙片Ｐ１は、同図（ｃ）に示すように、封筒の作成時に封筒上紙となるので、中間業者控え片Ｃの裏面には返信先となる契約業者の宛先表示欄Ｃ２が形成され、封筒内部にある情報の透け防止のためのカムフラージュパターンＣ３が印刷される。
【００４７】
ここで、「カムフラージュパターン」とは封筒内部の記載事項や複写事項を封筒外部から透視できない程度の隠蔽力を持つものをいう。その形態としては特に限定されるものではなく、例えば黒色や紺色等の濃色インキを用いてベタ印刷、網点印刷、あるいは迷彩模様等の印刷が考えられる。
【００４８】
なお、残りの第２紙片Ｐ２，第４紙片Ｐ４，および第６紙片Ｐ６は、それぞれ次のように使用される。
【００４９】
第２紙片Ｐ２は、封筒の作成時に封筒下紙片となる。このため、同図（ｃ）に示すように、第２紙片Ｐ２の裏面側にはカムフラージュパターンＤ１が印刷される。
【００５０】
第４紙片Ｐ４は、申込書の記入時に切取り用右縦ミシン目２５−５に従って顧客控え片Ｂから分離される。これを利用して、同図（ｂ）に示すように、第４紙片Ｐ４の表面側には顧客に対するメッセージ表示欄Ｅ１が、同図（ｃ）に示すように、その裏面側には顧客情報記入欄Ａ１への記入例表示欄Ｅ２がそれぞれ形成される。
【００５１】
第６紙片Ｐ６は、封筒の作成時に切取り用中縦ミシン目３５−３に従って契約業者処理片Ａから分離される。これを利用して、同図（ａ）に示すように、第６紙片Ｐ６の表面側には封筒の作成方法表示欄Ｆ１が形成される。
【００５２】
次に、この支払申込書の記入方法を説明する。
【００５３】
まず、図６（ａ）に示すように、顧客は契約業者から郵送された支払申込書を開き、第４紙片Ｐ４のメッセージ表示欄Ｅ１に表示されているメッセージを確認する。そして、切取り用右縦ミシン目２５−５を切断することで、この第４紙片Ｐ４を顧客控え片Ｂである第３紙片Ｐ３から分離する。
【００５４】
そして、同図（ｂ）に示すように、切取り用中縦ミシン目２５−３を基に山折りする。これにより、顧客控え片Ｂは、第６紙片Ｐ６の裏面側にある第２紙片Ｐ２上に折り込まれる。
【００５５】
続いて、同図（ｃ）に示すように、切取り用中縦ミシン目３５−３を基に山折りする。これにより、契約業者処理片Ａは、先に折り込まれた顧客控え片Ｂ上に折り込まれる。
【００５６】
さらに、同図（ｄ）に示すように、３つ折りされた支払申込書を裏返す。これにより、最後に折り込まれた契約業者処理片Ａが表側に来る。顧客は、同図（ａ）で切り離した第４紙片Ｐ４の記入例表示欄Ｅ２に表示された記入例を参照しながら顧客情報記入欄Ａ１に必要事項を記入する。
【００５７】
ここで、契約業者処理片Ａの顧客情報記入欄Ａ１に記入した事項は、顧客控え片Ｂの顧客情報複写欄Ｂ１と中間業者控え片Ｃの顧客情報複写欄Ｃ１にそれぞれ複写される。
【００５８】
すなわち、図６で説明した手順で帳票Ｐを３つ折りすることで、図７に示すように、契約業者処理片Ａの下側には第１紙片Ｐ１である中間業者控え片Ｃが配置され、この中間業者控え片Ｃの下側には第３紙片Ｐ３である顧客控え片Ｂが配置される。そして、同図（ｂ）に示すように、契約業者処理片Ａの裏面側には発色剤層３２が塗工されており、これと対向する中間業者控え片Ｃの表面側には顕色剤層２２が塗工されている。また、中間業者控え片Ｃの裏面側には発色剤層２４が塗工されており、これと対向する顧客控え片Ｂの表面側には顕色剤層２２が塗工されている。
【００５９】
したがって、最上位の顧客情報記入欄Ａ１に加えられる筆圧によって、発色剤層３２のマイクロカプセルと発色剤層２４のマイクロカプセルが割られると、発色剤層３２のカプセル内から染み出した発色剤は、顕色剤層２２の顕色剤と化学反応して発色することで中間業者控え片Ｃの顧客情報複写欄Ｃ１に複写されるとともに、発色剤層２４のカプセル内から染み出した発色剤は、顕色剤層２２の顕色剤と化学反応して発色することで顧客控え片Ｂの顧客情報複写欄Ｂ１に複写される。
【００６０】
このように、封筒用帳票Ｐによると、契約業者処理片Ａの顧客情報記入欄Ａ１に顧客が手書きで記入した事項を、顧客控え片Ｂの顧客情報複写欄Ｂ１と中間業者控え片Ｃの顧客情報複写欄Ｃ１にそれぞれ複写できる３枚複写機能を実現することが可能になる。
【００６１】
次に、この支払申込書の封筒作成方法を説明する。
【００６２】
まず、図８（ａ）に示すように、顧客は所定事項を記入した後で３つ折りしていた支払申込書を開き、切取り用中縦ミシン目２５−３を切断することで顧客控え片Ｂを第２紙片Ｐ２から分離する。
【００６３】
そして、同図（ｂ）に示すように、切取り用中縦ミシン目３５−３を切断することで第６紙片Ｐ６を契約業者処理片Ａから分離する。このとき、第６紙片の裏面には剥離剤層３３が設けられているので、第２紙片Ｐ２の表面にある粘着剤層２３から簡単に剥がすことができる。
【００６４】
続いて、同図（ｃ）に示すように、折曲げ用縦ミシン目２５−４を基に谷折りする。このとき、第２紙片Ｐ２の表面にはその縁部に沿って粘着剤層２３が設けられているので、契約業者処理片Ａと第２紙片Ｐ２とを貼り合わせることができる。貼り合わせた支払申込書は、封筒上紙となる第１紙片Ｐ１に宛先表示欄Ｃ２とカムフラージュパターンＣ３が表示されており、封筒下紙となる第２紙片Ｐ２にカムフラージュパターンＤ１が表示されているので返信用封筒として郵送できる。このように、谷折りして貼り合わせるだけの簡単な作業で封筒を作成でき、かつ契約業者処理片Ａと中間業者控え片Ｃを内封する形なので従来のように糊を付けて封緘する手間も必要ない。
【００６５】
したがって、この封筒用帳票Ｐによると、契約業者処理片Ａの顧客情報記入欄Ａ１に記入した事項と中間業者控え片Ｃの顧客情報複写欄Ｃ１に複写された事項を、封筒上紙のカムフラージュパターンＣ３と封筒下紙のカムフラージュパターンＤ１によって隠蔽した状態で契約業者に対して郵送でき、隠蔽郵送機能を実現することが可能になる。
【００６６】
最後に、同図（ｄ）に示すように、契約業者は郵送された封筒を受け取ると、切取り用縦ミシン目２５−６と切取り用横ミシン目２５−７を共に切断する。これにより、貼り合わされていた封筒を簡単に開封することができるとともに、粘着剤層２３で接合されていた中間業者控え片Ｃと契約業者処理片Ａとを分離することができる。
【００６７】
なお、上述した実施形態では、連続用紙を用いて作製した例について説明したが、これに限らず単片用紙を用いて作製しても良い。また、作製コストを考慮すると、上述したように顕色剤層２２は第１紙片Ｐ１と第３紙片Ｐ３に限定して塗工するとともに、下紙２０の発色剤層２４は第１紙片Ｐ１に限定し、上紙３０の発色剤層３２は第５紙片Ｐ５に限定して塗工するのが望ましい。さらに、契約業者処理片Ａと顧客控え片Ｂと中間業者控え片Ｃ以外の紙片のうちで、帳票から分離される第４紙片Ｐ４と第６紙片Ｐ６の使用例については、メッセージや記入例や作成方法を表示するだけでなく適宜必要な情報を表示することができる。
【００６８】
【発明の効果】
以上説明したように、本発明に係る封筒用帳票によれば、３枚複写機能と、隠蔽郵送機能と、ＮＩＰ印字機能の３つの機能をすべて実現できるという効果を奏する。
【００６９】
すなわち、契約業者処理片に顧客が手書きで記入した事項を中間業者控え片と顧客控え片にそれぞれ複写することができる。また、契約業者処理片に記入された事項と中間業者控え片に複写された事項を隠蔽した状態で郵送することができる。さらに、１枚目の契約業者処理片に対してＮＩＰを用いて印字することができる。
【図面の簡単な説明】
【図１】本発明に係る封筒用帳票の全体構成を示す平面図。
【図２】各帳票単位の下紙の構成を示す（ａ）表面側平面図、（ｂ）裏面側平面図、（ｃ）ＩＩ−ＩＩ線断面図。
【図３】各帳票単位の上紙の構成を示す（ａ）表面側平面図、（ｂ）裏面側平面図、（ｃ）ＩＩＩ−ＩＩＩ線断面図。
【図４】各帳票単位の全体構成を示す（ａ）表面側平面図、（ｂ）裏面側平面図、（ｃ）ＩＶ−ＩＶ線断面図。
【図５】本発明に係る封筒用帳票を支払申込書に適用した例を示す（ａ）上紙の表面側平面図、（ｂ）下紙の表面側平面図、（ｃ）下紙の裏面側平面図。
【図６】支払申込書における記入方法を示す説明図。
【図７】支払申込書における複写構造を示す（ａ）表面側平面図、（ｂ）ＶＩＩ−ＶＩＩ線断面図。
【図８】支払申込書における封筒作成方法を示す説明図。
【図９】従来の支払申込書の構成例を示す説明図。
【図１０】従来の支払申込書の使用方法を示す説明図。
【図１１】従来の支払申込書の他の構成例を示す説明図。
【符号の説明】
Ｐ  封筒用帳票
Ｐ１  第１紙片
Ｐ２  第２紙片
Ｐ３  第３紙片
Ｐ４  第４紙片
Ｐ５  第５紙片
Ｐ６  第６紙片
２０  下紙
２１  送り孔
２２  顕色剤層
２３  粘着剤層
２４  発色剤層
２５−１  切取り用横ミシン目
２５−２  切取り用縦ミシン目
２５−３  切取り用中縦ミシン目
２５−４  折曲げ用縦ミシン目
２５−５  切取り用右縦ミシン目
２５−６  切取り用縦ミシン目
２５−７  切取り用横ミシン目
３０  上紙
３１  送り孔
３２  発色剤層
３３  剥離剤層
３５−１  切取り用横ミシン目
３５−２  切取り用縦ミシン目
３５−３  切取り用中縦ミシン目
３５−４  切取り用縦ミシン目
３５−５  切取り用横ミシン目
Ａ  契約業者処理片
Ａ１  顧客情報記入欄
Ｂ  顧客控え片
Ｂ１  顧客情報複写欄
Ｂ２  会員規約表示欄
Ｃ  中間業者控え片
Ｃ１  顧客情報複写欄
Ｃ２  宛先表示欄
Ｃ３  カムフラージュパターン
Ｄ１  カムフラージュパターン
Ｅ１  メッセージ表示欄
Ｅ２  記入例表示欄
Ｆ１  作成方法表示欄
【図１】
2005022103.tif 000003
【図２】
2005022103.tif 000004
【図３】
2005022103.tif 000005
【図４】
2005022103.tif 000006
【図５】
2005022103.tif 000007
【図６】
2005022103.tif 000008
【図７】
2005022103.tif 000009
【図８】
2005022103.tif 000010
【図９】
2005022103.tif 000011
【図１０】
2005022103.tif 000012
【図１１】
2005022103.tif 000013